【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
第１の生体内導入装置が被検体内において取得した画像データを表示し得る第１の表示領域と、前記第１の生体内導入装置とは異なる第２の生体内導入装置が被検体内で取得した画像データを表示し得る第２の表示領域とを有する画像表示部を備えることを特徴とする生体内画像表示装置。
【請求項２】
前記画像表示部は、前記第１または第２の生体内導入装置から直接的または間接的に順次受信した前記画像データをリアルタイムに順次表示することができるリアルタイム表示部を有することを特徴とする請求項１に記載の生体内画像表示装置。
【請求項３】
前記リアルタイム表示部に前記画像データをリアルタイムに順次表示する表示モードと複数の前記画像データをマルチ表示する表示モードとを切り替える表示モード切替部を備えることを特徴とする請求項２に記載の生体内画像表示装置。
【請求項４】
前記画像表示部は、前記第１および第２の表示領域に前記画像データをリアルタイム表示または静止画表示することを特徴とする請求項１に記載の生体内画像表示装置。
【請求項５】
前記第１または第２の生体内導入装置による前記画像データを含む無線信号から被検体に特有のパラメータを検知するパラメータ検知部と、
前記パラメータ検知部によって検知されたパラメータに基づき、前記第１の生体内導入装置による画像データを前記第１の表示領域に表示させるとともに前記第２の生体内導入装置による画像データを前記第２の表示領域に表示させる表示処理部と、
を備えることを特徴とする請求項１〜４のいずれか一つに記載の生体内画像表示装置。
【請求項６】
複数の生体内導入装置が被検体内において取得した画像データを受信および送信する複数の無線機と、
前記無線機のうちの第１の無線機から受信した画像データを表示し得る第１の表示領域と、前記第１の無線機とは異なる第２の無線機から受信した画像データを表示し得る第２の表示領域とを有する画像表示部を有する生体内画像表示装置と、
を備えることを特徴とする受信システム。
【請求項７】
前記生体内画像表示装置にて、前記画像表示部は、前記第１または第２の無線機から直接的または間接的に順次受信した前記画像データをリアルタイムに順次表示することができるリアルタイム表示部を有することを特徴とする請求項６に記載の受信システム。
【請求項８】
前記生体内画像表示装置は、前記リアルタイム表示部に前記画像データをリアルタイムに順次表示する表示モードと複数の前記画像データをマルチ表示する表示モードとを切り替える表示モード切替部を備えることを特徴とする請求項７に記載の受信システム。
【請求項９】
前記画像表示部は、前記第１および第２の表示領域に前記画像データをリアルタイム表示または静止画表示することを特徴とする請求項６に記載の受信システム。
【請求項１０】
前記生体内画像表示装置は、
前記第１または第２の無線機から受信した無線信号から被検体に特有のパラメータを検知するパラメータ検知部と、
前記パラメータ検知部によって検知されたパラメータに基づき、前記第１の無線機からの画像データを前記第１の表示領域に表示させるとともに前記第２の無線機からの画像データを前記第２の表示領域に表示させる表示処理部と、
を備えることを特徴とする請求項６〜９のいずれか一つに記載の受信システム。
【請求項１１】
生体内導入装置が被検体内において取得した画像データを表示する表示部と、
前記表示部に表示される画像データの表示モードを切り替える表示モード切替部と、
を備えることを特徴とする生体内画像表示装置。
【請求項１２】
前記生体内導入装置が取得した前記画像データのうちから静止画の画像データを選択する静止画選択手段と、
前記生体内導入装置が取得した前記画像データと前記静止画選択手段が選択した前記静止画の画像データとを各々別の記憶領域に記憶する記憶部と、
を備え、
前記表示モード切替部は、前記生体内導入装置から直接的または間接的に順次受信した前記画像データをリアルタイム表示する表示モードと前記静止画の画像データを静止画表示する表示モードとを切り替えることを特徴とする請求項１１に記載の生体内画像表示装置。
【請求項１３】
前記表示モード切替部は、前記表示部に表示される前記画像データの大きさを切り替えることを特徴とする請求項１１に記載の生体内画像表示装置。
【手続補正２】
【補正対象書類名】明細書
【補正対象項目名】全文
【補正方法】変更
【補正の内容】
【発明の詳細な説明】
【発明の名称】生体内画像表示装置及び受信システム
【技術分野】
【０００１】
本発明は、複数の無線機から送信された生体内導入装置が取得した画像データを受信し、画像データを画像表示部に表示する生体内画像表示装置及び受信システムに関するものである。
【背景技術】
【０００２】
近年、内視鏡などの生体内導入装置の分野では、撮像機能と無線通信機能とが装備されたカプセル型内視鏡が登場している。このカプセル型内視鏡は、観察（検査）のために被検体である被検者の口から飲み込まれた後、被検者の生体（人体）から自然排出されるまでの観察期間、たとえば食道、胃、小腸などの臓器の内部（体腔内）をその蠕動運動に伴って移動し、撮像機能を用いて所定の撮像レートで順次撮像する構成を有する。
【０００３】
また、これら臓器内を移動するこの観察期間、カプセル型内視鏡によって体腔内で撮像された画像データは、順次無線通信などの無線通信機能により、被検者の外部に送信され、外部の受信機内に設けられたメモリに蓄積される。被検者がこの無線通信機能とメモリ機能を備えた受信機を携帯することにより、被検者は、カプセル型内視鏡を飲み込んだ後、排出されるまでの観察期間であっても、不自由を被ることなく自由に行動が可能になる（特許文献１参照）。
【０００４】
画像データを受信する場合、一般に受信機では、カプセル型内視鏡から送信される画像信号を受信するための複数のアンテナを被検者の外部に分散配置し、受信する受信強度が強い一つのアンテナを選択切替えして、画像信号を受信している。たとえば特許文献１には、被検体の外部に配置された複数のアンテナの受信切替えを行い、各アンテナが受信する電界強度をもとに、画像信号の発信源である被検体内のカプセル型内視鏡の位置を探知する受信機が記載されている。
【０００５】
このようなカプセル型内視鏡システムでは、カプセル型内視鏡による一連の撮像動作が完了した後に、受信機のメモリに蓄積された画像データをワークステーション等に転送することによって画像の閲覧が事後的に行われるのが一般的である。しかしながら、医師等からは短時間で通過することからすぐに診断可能な食道、胃等の箇所、気になる箇所等に関して撮像画像をリアルタイムに閲覧することに対する要望も高く、カプセル型内視鏡から送信された無線信号に基づきリアルタイムに画像表示を行う簡易型の生体内画像表示装置を付属したシステムも提案されている。
【０００６】
従来の生体内画像表示装置は、最も簡単な構成としては、受信機と電気的に接続可能な構成を有するとともに、小型の表示部及び所定の信号処理部を備える。このような構成を有することによって、簡易型生体内画像表示装置は、受信機にて受信処理が施された信号を入力することが可能であり、入力した信号に基づき所定の処理を施した上で小型の表示部にカプセル型内視鏡で撮像された画像を表示する。
【０００７】
【特許文献１】特開２００３−１９１１１号公報
【発明の開示】
【発明が解決しようとする課題】
【０００８】
ところで、飲み込んだカプセル型内視鏡の位置を確認して、カプセル型内視鏡が被検査対象の臓器に到達すると、医師などは観察を行って、観察後は病院の近辺に外出可能とする指示を与える場合がある。このような場合には、カプセル型内視鏡の現時点の位置を認識することが必要となり、通常は生体内画像表示装置で受信された画像を確認することで、医師が被検体内でのカプセル型内視鏡の位置を把握することを可能としていた。また、たとえば同時に複数の患者がカプセル型内視鏡による検査を行うことが考えられ、このような場合には、それぞれのカプセル型内視鏡の位置を医師が把握することが必要となる。
【０００９】
しかしながら、従来では、１つのカプセル型内視鏡が撮像した画像を１台の生体内画像表示装置で表示しており、このような状況下で複数のカプセル型内視鏡からの画像を認識する場合には、たとえば複数の生体内画像表示装置でカプセル型内視鏡からの画像を表示して認識するか、または１つの簡易画像表示装置をそれぞれの被検体に近づけてカプセル型内視鏡からの画像を１つ１つ別々に表示して認識しており、画像認識の動作が煩雑になるとともに、１台の生体内画像表示装置でリアルタイムに複数のカプセル型内視鏡からの画像を認識することができなかった。
【００１０】
本発明は、上記に鑑みてなされたものであって、複数の生体内導入装置から送信される複数人の生体内画像を１台の生体内画像表示装置で観察することができる生体内画像表示装置及び受信システムを提供することを目的とする。
【課題を解決するための手段】
【００１１】
上述した課題を解決し、目的を達成するために、本発明にかかる生体内画像表示装置は、第１の生体内導入装置が被検体内において取得した画像データを表示し得る第１の表示領域と、前記第１の生体内導入装置とは異なる第２の生体内導入装置が被検体内で取得した画像データを表示し得る第２の表示領域とを有する画像表示部を備えることを特徴とする。
【００１２】
また、本発明にかかる生体内画像表示装置は、上記発明において、前記画像表示部は、前記第１または第２の生体内導入装置から直接的または間接的に順次受信した前記画像データをリアルタイムに順次表示することができるリアルタイム表示部を有することを特徴とする。
【００１３】
また、本発明にかかる生体内画像表示装置は、上記発明において、前記リアルタイム表示部に前記画像データをリアルタイムに順次表示する表示モードと複数の前記画像データをマルチ表示する表示モードとを切り替える表示モード切替部を備えることを特徴とする。
【００１４】
また、本発明にかかる生体内画像表示装置は、上記発明において、前記画像表示部は、前記第１および第２の表示領域に前記画像データをリアルタイム表示または静止画表示することを特徴とする。
【００１５】
また、本発明にかかる生体内画像表示装置は、上記発明において、前記第１または第２の生体内導入装置による前記画像データを含む無線信号から被検体に特有のパラメータを検知するパラメータ検知部と、前記パラメータ検知部によって検知されたパラメータに基づき、前記第１の生体内導入装置による画像データを前記第１の表示領域に表示させるとともに前記第２の生体内導入装置による画像データを前記第２の表示領域に表示させる表示処理部と、を備えることを特徴とする。
【００１６】
また、本発明にかかる受信システムは、複数の生体内導入装置が被検体内において取得した画像データを受信および送信する複数の無線機と、前記無線機のうちの第１の無線機から受信した画像データを表示し得る第１の表示領域と、前記第１の無線機とは異なる第２の無線機から受信した画像データを表示し得る第２の表示領域とを有する画像表示部を有する生体内画像表示装置と、を備えることを特徴とする。
【００１７】
また、本発明にかかる受信システムは、上記発明において、前記生体内画像表示装置にて、前記画像表示部は、前記第１または第２の無線機から直接的または間接的に順次受信した前記画像データをリアルタイムに順次表示することができるリアルタイム表示部を有することを特徴とする。
【００１８】
また、本発明にかかる受信システムは、上記発明において、前記生体内画像表示装置は、前記リアルタイム表示部に前記画像データをリアルタイムに順次表示する表示モードと複数の前記画像データをマルチ表示する表示モードとを切り替える表示モード切替部を備えることを特徴とする。
【００１９】
また、本発明にかかる受信システムは、上記発明において、前記画像表示部は、前記第１および第２の表示領域に前記画像データをリアルタイム表示または静止画表示することを特徴とする
【００２０】
また、本発明にかかる受信システムは、上記発明において、前記生体内画像表示装置は、前記第１または第２の無線機から受信した無線信号から被検体に特有のパラメータを検知するパラメータ検知部と、前記パラメータ検知部によって検知されたパラメータに基づき、前記第１の無線機からの画像データを前記第１の表示領域に表示させるとともに前記第２の無線機からの画像データを前記第２の表示領域に表示させる表示処理部と、を備えることを特徴とする。
【００２１】
また、本発明にかかる生体内画像表示装置は、生体内導入装置が被検体内において取得した画像データを表示する表示部と、前記表示部に表示される画像データの表示モードを切り替える表示モード切替部と、を備えることを特徴とする。
【００２２】
また、本発明にかかる生体内画像表示装置は、上記発明において、前記生体内導入装置が取得した前記画像データのうちから静止画の画像データを選択する静止画選択手段と、前記生体内導入装置が取得した前記画像データと前記静止画選択手段が選択した前記静止画の画像データとを各々別の記憶領域に記憶する記憶部と、を備え、前記表示モード切替部は、前記生体内導入装置から直接的または間接的に順次受信した前記画像データをリアルタイム表示する表示モードと前記静止画の画像データを静止画表示する表示モードとを切り替えることを特徴とする。
【００２３】
また、本発明にかかる生体内画像表示装置は、上記発明において、前記表示モード切替部は、前記表示部に表示される前記画像データの大きさを切り替えることを特徴とする。
【発明の効果】
【００２４】
本発明にかかる生体内画像表示装置及び受信システムは、生体内画像表示装置にて、画像表示部が第１の生体内導入装置が被検体内において取得した画像データを表示し得る第１の表示領域と、前記第１の生体内導入装置とは異なる第２の生体内導入装置が被検体内で取得した画像データを表示し得る第２の表示領域とを有することで、複数の生体内導入装置から送信される複数人の生体内画像を１台の生体内画像表示装置で観察することができ、これにより被検体内における各生体内導入装置の位置を把握することが可能となるという効果を奏する。
【発明を実施するための最良の形態】
【００２５】
以下に、本発明にかかる生体内画像表示装置及び受信システムの実施の形態を図１〜図１４の図面に基づいて詳細に説明する。なお、本発明は、これらの実施の形態に限定されるものではなく、本発明の要旨を逸脱しない範囲で種々の変更実施の形態が可能である。
【００２６】
（実施の形態１）
図１は、本発明に係る生体内画像表示装置及び受信システムの好適な実施の形態である無線型被検体内情報取得システムの全体構成を示す模式図である。図１において、無線型被検体内情報取得システムは、被検体１内に導入され、生体内画像（体腔内画像）を撮像して受信システム７に対して画像信号などのデータ送信を行う生体内導入装置としてのカプセル型内視鏡３と、被検体１内に導入されるカプセル型内視鏡３から送信される無線信号の受信処理に用いられる受信システム７とを備える。
【００２７】
カプセル型内視鏡３は、被検体１の口腔を介して被検体１内部に導入され、たとえば内蔵の撮像機構によって取得した体腔内画像データを被検体１の外部に対して無線送信する機能を有する。受信機２は、被検体１の対外表面の適宜位置に分散させて固定的に貼付される複数の受信用アンテナＡ１〜Ａｎを有したアンテナユニット２ａと、複数の受信用アンテナＡ１〜Ａｎを介して受信される無線信号の処理などを行う受信本体ユニット２ｂとを備え、これらユニットはコネクタなどを介して着脱可能に接続される。なお、受信用アンテナＡ１〜Ａｎのそれぞれは、たとえば被検体１が着用可能なジャケットに備え付けられ、被検体１は、このジャケットを着用することによって受信用アンテナＡ１〜Ａｎを装着するようにしてもよい。また、この場合、受信用アンテナＡ１〜Ａｎは、ジャケットに対して着脱可能なものであってもよい。
【００２８】
また、本実施の形態の無線型被検体内情報取得システムは、受信機２が受信した映像信号に基づいて体腔内画像を表示する表示装置たとえばワークステーション（ＷＳ）４と、受信機２とワークステーション４との間でデータの受け渡しを行うための記憶部としての携帯型記録媒体５とを備える。
【００２９】
ワークステーション４は、カプセル型内視鏡３によって撮像された体腔内画像などを表示するためのものであり、携帯型記録媒体５等によって得られるデータに基づいて画像表示を行う。具体的には、ワークステーション４は、ＣＲＴディスプレイ、液晶ディスプレイなどによって直接画像を表示する構成としてもよいし、プリンタなどのように、他の媒体に画像を出力する構成としてもよい。
【００３０】
携帯型記録媒体５は、コンパクトフラッシュ（登録商標）メモリなどが用いられ、受信機２の受信本体ユニット２ｂおよびワークステーション４に対して着脱可能であって、両者に対して挿着された時に情報の出力または記録が可能な構造を有する。この実施の形態では、携帯型記録媒体５は、たとえば検査前には、ワークステーション４の表示装置に挿着されて検査ＩＤなどの識別情報が記憶され、さらに検査の直前には、受信本体ユニット２ｂに挿着され、この受信本体ユニット２ｂによって、この識別情報が読み出されて受信本体ユニット２ｂ内に登録される。また、カプセル型内視鏡３が被検体１の体腔内を移動している間は、携帯型記録媒体５は、被検体１に取り付けられた受信本体ユニット２ｂに挿着されてカプセル型内視鏡３から送信されるデータを記録する。そして、カプセル型内視鏡３が被検体１から排出された後、つまり、被検体１の内部の撮像が終了した後には、受信本体ユニット２ｂから取り出されてワークステーション４に挿着され、このワークステーション４によって、携帯型記録媒体５に記録されたデータが読み出される構成を有する。たとえば、受信本体ユニット２ｂとワークステーション４とのデータの受け渡しを、携帯型記録媒体５によって行うことで、被検体１が体腔内の撮影中に自由に動作することが可能となり、また、ワークステーション４との間におけるデータの受け渡し期間の短縮にも寄与している。なお、受信本体ユニット２ｂとワークステーション４との間のデータの受け渡しは、受信本体ユニット２ｂに内蔵型の他の記録装置、たとえばハードディスクを用い、ワークステーション４との間におけるデータの受け渡しのために、双方を有線又は無線接続するように構成してもよい。
【００３１】
図２は、受信システム７の概略構成の一例を示す概略構成図である。図において、受信システム７は、被検体１に携帯された状態で使用され、受信した無線信号の受信処理を行う受信機２を含む複数の受信機、実施の形態では、たとえば３台の受信機Ａ〜Ｃと、これら受信機Ａ〜Ｃと無線によって電気的に接続され、各受信機から出力される無線信号に基づきカプセル型内視鏡３で撮像された画像の表示を行う生体内画像表示装置としてのビュワ６とを備える。これら受信機Ａ〜Ｃは、図３に示すような同一の構成からなり、たとえば集団検診などで異なる被検体内に導入された異なるカプセル型内視鏡３からの無線信号をそれぞれ受信して、各無線信号の受信処理を行う。すなわち、受信機は、複数のアンテナのうちのたとえば受信強度が最も強いアンテナ２１を介してカプセル型内視鏡からの無線信号を受信し、復調部２２で復調処理を行い、無線信号に基づいて復調された映像信号を信号処理部２３で信号処理（一般的な画像処理の他に、たとえば色強調処理、ホワイトバランスなどを含む）を行って画像データとした後、画像圧縮部２４で画像圧縮を行って画像メモリ２５に記憶するという通常の構成の他に、本実施の形態にかかる受信機は、画像圧縮部２４で圧縮された画像データを変調部２６で変調して、無線送信部２７から送信用のアンテナ２８を介して無線信号として送信するという構成が備えられている。これにより、被検体１は１台の受信機のみを携帯することが可能となる。
【００３２】
ビュワ６は、各受信機Ａ〜Ｃから送信される無線信号を受信し、各無線信号に基づきカプセル型内視鏡で撮像された体腔内画像を画像表示部６１に順次表示する。このビュワ６は、操作者が手で把持可能な程度の大きさに形成された可搬型のもので、受信機Ａ〜Ｃから送信される無線信号を直接的に受信するための機能と、この無線信号に基づく画像を表示する機能を有する。係る機能を実現するために、ビュワ６は、一体に形成されるロッド状の受信用アンテナ３１と、画像表示用の小型ＬＣＤ（液晶表示装置）による画像表示部６１を備える。ここで、受信機Ａ〜Ｃの識別は、各受信機の出力周波数を異なる周波数に設定して、受信側でこの出力周波数から各受信機を特定しても良いし、ワイヤレスＬＡＮのような送受信の構成にして、各受信機からの信号に識別用のパラメータを加えて、各受信機を特定しても良い。また、６２は、画像選択手段としての画像選択用ボタンで、６３は、表示モードを切り替える表示モード切替手段としての切替スイッチである。
【００３３】
図４は、実施の形態１にかかるビュワ６の機能構成を示すブロック図である。図において、ビュワ６は、アンテナ３１を介して受信した各受信機Ａ〜Ｃからの無線信号を復調する復調部３２と、復調された無線信号に基づく映像信号を伸長する画像伸長部３３と、伸長された映像信号の信号処理を行って画像データとして画像メモリ３５に記憶させる信号処理部３４と、画像データをパラメータと関連付けて順次記憶する画像メモリ３５と、画像メモリ３５に記憶された画像データの表示処理を行う表示処理部３６と、表示処理部３６で表示処理された各画像を表示する画像表示部３７とを備える。また、ビュワ６は、復調部３２で復調された各受信機Ａ〜Ｃからの無線信号に含まれる所定のパラメータを検知するパラメータ検知部３８と、この検知されたパラメータに基づいて、対応する画像を選択するための指示を行う画像選択手段３９と、受信機から受信した画像データの表示モードを切り替える表示モード切替手段４０とを備え、各画像のいわゆるマルチ画面による複数画像のマルチ表示および順次一画像のいわゆる一画面によるリアルタイム表示を可能にする。
【００３４】
パラメータ検知部３８は、復調部３２で復調された無線信号から、たとえば各患者に特有の識別情報である検査ＩＤや患者ＩＤなどのパラメータを検知している。画像選択手段３９は、画像選択用ボタン６２を含み、所定の画像を選択するための画像選択用ボタン６２が押下されると、パラメータ検知部３８によって検知されたパラメータのうちから選択された所定の画像に対応したパラメータを選択する。
【００３５】
表示処理部３６は、切替スイッチ６３の押下によりリアルタイム画面の表示モードに切り替えて、画像選択手段３９によって選択されたパラメータに基づき、リアルタイムの画像表示を画像表示部３７に行わせる。画像表示部３７は、表示処理部３６の制御により、初期状態では図２に示すように、受信機Ａから受信した画像データを第１の表示領域６１ｂ１に表示し、受信機Ａとは異なる受信機Ｂ，Ｃから受信した画像データを第２の表示領域６１ｂ２，６１ｂ３に表示する、マルチ画面の表示を行う。また、画像表示部３７は、画像選択が行われると、図５に示すように、選択された画像をリアルタイム表示部としての画像表示領域６１ａに拡大して順次表示する、一画面のリアルタイム表示を行う。なお、本発明では、画像選択用ボタン６３の代わりに、画像表示部３７をタッチパネルで形成し、このタッチパネルに表示された所定の画像を触れることによって画像を選択する指示を行うように構成することも可能である。
【００３６】
次に、ビュワ６による画像表示の動作を図６のフローチャートを用いて説明する。図において、表示処理部３６は、アンテナ３１で受信し、画像メモリ３５に記憶された各受信機Ａ〜Ｃからの複数の画像を、マルチ画面で表示する（ステップＳ１０１）。この場合には、所定時間内に撮像された各受信機Ａ〜Ｃからの画像を、図２に示すように、画像表示部３７の各表示領域６１ｂ１〜６１ｂ３に、たとえば静止画像として順次表示させる。表示処理部３６では、予め各受信機Ａ〜Ｃと、各受信機Ａ〜Ｃが送信するパラメータとを関連付けて記憶しており、パラメータ検知部３８で検知された各パラメータによって、各受信機Ａ〜Ｃと、各受信機Ａ〜Ｃが送信した画像とを対応付けることが可能となる。
【００３７】
次に、表示モード切替手段４０の切替スイッチ６３が押下されて、画像選択用ボタン６３によって受信機Ａ〜Ｃからの画像のうち、所定の画像が選択されることで、一画面の表示モードの指示があると（ステップＳ１０２）、画像選択手段３９は、パラメータ検知部３８が検知したパラメータのうちから上記所定の画像に対応したパラメータを選択する（ステップＳ１０３）。
【００３８】
画像選択手段３９によってパラメータの選択がなされると、表示処理部３６は、この選択されたパラメータに基づく所定の画像を画像メモリ３５から選択し（ステップＳ１０４）、選択した所定の画像を画像表示部３７の画像表示領域６１ａに一画面でリアルタイム表示させる（ステップＳ１０５）。また、次に表示モード切替手段４０の切替スイッチ６３が押下されると、表示処理部３６は、マルチ画面の表示と判断して（ステップＳ１０２）、受信した画像をマルチ画面で画像表示部３７に表示させる（ステップＳ１０１）。なお、この実施の形態では、患者に携帯された受信機からカプセル型内視鏡の無線信号を間接的に受信するように構成したが、ビュワ６は、受信機を介さずにカプセル型内視鏡から直接無線信号を受信するように構成することも可能である。
【００３９】
このように、この実施の形態では、画像表示部３７が第１の受信機Ａから受信した第１のカプセル型内視鏡の画像データを表示し得る第１の表示領域６１ｂ１と、第１の受信機Ａと異なる第２の受信機Ｂ，Ｃから受信した第２のカプセル型内視鏡の画像データを表示し得る第２の表示領域６１ｂ２，６１ｂ３とを有するので、複数のカプセル型内視鏡から送信される複数人の生体内画像を、受信機Ａ〜Ｃを介して１台のビュワで受信して観察することができ、これにより被検体内における各カプセル型内視鏡の位置を把握することが可能となる。
【００４０】
また、この実施の形態では、受信機Ａ〜Ｃから直接受信した画像データを順次受信および順次表示することができる画像表示領域６１ａをさらに有し、必要に応じて画像の切り替え表示を行うので、たとえばマルチ画面の表示を特定の患者の体腔内画像のリアルタイム表示に切り替えて、拡大してリアルタイムで観察することが可能となり、観察精度が高まりビュワ６の利便性が向上するという効果もある。
【００４１】
（実施の形態２）
図７は、実施の形態２にかかるビュワ６の機能構成を示すブロック図である。図において、ビュワ６が実施の形態１のビュワと異なる点は、アンテナ３１で受信した無線信号の受信強度を受信強度検出部４１で検出し、最も受信強度の強い無線信号に基づく画像を選択してリアルタイム表示するものである。すなわち、受信強度検出部４１は、アンテナ３１から受信した各受信機からの無線信号の受信強度を検出するもので、パラメータ検知部３８は、受信した無線信号からパラメータを検知するものである。この検出された受信強度とパラメータは、アンテナ３１で受信された同一の無線信号に対応しており、一画面の表示モードの際に画像選択手段３９は、この検出された受信強度のうちの最も強い受信強度に対応する無線信号のパラメータを選択する。表示処理部３６は、マルチ画面の表示モードの際には、アンテナ３１で受信され、画像メモリ３５に記憶された各受信機Ａ〜Ｃからの複数の画像を、マルチ画面で画像表示部３７に表示させる。また、表示処理部３６は、一画面の表示モードの際には、受信した各受信機Ａ〜Ｃからの画像のうちで受信強度が最も強い画像を、画像表示部３７に一画面でリアルタイム表示させる。
【００４２】
この実施の形態では、たとえばリアルタイム表示を行いたい特定の患者にビュワ６を近づけることで、その患者が携帯する受信機から受信強度が最も強い無線信号（または患者の被検体１内のカプセル型内視鏡３からの無線信号）を受信することが可能となり、表示処理部３６では、画像選択手段３９で選択されたパラメータに基づく画像を、画像表示部３７に一画面でリアルタイム表示させることができるようになる。なお、この実施の形態では、実施の形態１に示した画像選択用ボタン６３を設けて、画像選択用ボタン６３による画像選択と受信強度の検出による画像選択とを併用してもよい。
【００４３】
このように、この実施の形態では、実施の形態１と同様の効果を奏するとともに、一画面の表示モードの際に特定の患者にビュワ６を近づけるだけで、パラメータの選択がなされ、このパラメータに基づく所定の画像を画像表示部３７の画像表示領域６１ａに一画面で拡大してリアルタイム表示することができるので、さらにビュワ６の利便性が向上できる。
【００４４】
（実施の形態３）
図８は、実施の形態３にかかるビュワ６の概略構成を示す外観図である。実施の形態１では、表示モードの切替スイッチ６３が押されると、画像表示部６１の画像表示をマルチ画面による表示と一画面によるリアルタイム表示とを切り替て表示させていたが、この実施の形態では、図８に示すように、マルチ画面と一画面の両方の画像表示を同時に行うものである。すなわち、この実施の形態では、たとえば受信機Ａ〜Ｉから受信した各画像データを第１および第２の表示領域を含む表示領域６１ｂにマルチ画面で表示させるとともに、受信機Ａ〜Ｉからの画像データのうち、画像選択用ボタン６３で選択された画像データが画像表示領域６１ａにリアルタイム表示される。
【００４５】
図９は、実施の形態３にかかるビュワ６の機能構成を示すブロック図である。図において、このビュワ６では、画像表示部６１が２つのＬＣＤからなる表示部３７ａ，３７ｂから構成されている。表示処理部３６は、リアルタイムの表示処理とマルチ画面の表示処理を行う。すなわち、この表示処理部３６は、たとえば表示部３７ａに対しては画像選択手段３９によって指示された画像を、画像メモリ３５から順次取り込んで、一画面に拡大する表示処理を行ってリアルタイムで表示させ、表示部３７ｂに対してはマルチ画面による受信機Ａ〜Ｉから受信した複数の画像を、画像メモリ３５から順次取り込んで、マルチ画面に順次表示させる表示処理を行う。
【００４６】
この実施の形態では、複数のカプセル型内視鏡からの画像のマルチ画面でのマルチ表示と、選択された画像の一画面のリアルタイム表示とを同時に行うので、被検体内における各カプセル型内視鏡の位置把握と、リアルタイムでの観察を同時に行うことが可能となるので、さらにビュワ６の利便性を向上できる。
【００４７】
なお、この実施の形態では、２つのＬＣＤからなる表示部を設けてリアルタイム表示とマルチ表示を行ったが、本発明はこれに限らず、たとえば１つのＬＣＤからなる表示部の表示領域を２分割して、一方の表示領域に一画面のリアルタイム表示を行い、他方の表示領域にマルチ表示を行わせてもよい。
【００４８】
（実施の形態４）
図１０は、実施の形態４にかかるビュワ６の機能構成を示すブロック図である。図において、このビュワ６が実施の形態３と異なる点は、受信した画像のうちから静止画を選択する静止画選択手段４２を設け、静止画の表示とリアルタイム表示を切り替える点である。この静止画選択手段４２は、たとえば図示しない静止画選択用ボタンからなり、この静止画選択用ボタンの押下によって所定の画像が選択されたことを示すトリガを発生する。画像メモリ３５は、受信機から受信した各画像を記憶する画像用記憶領域と、静止画の画像を記憶する静止画用記憶領域とを有し、このトリガが発生すると、該当する画像を画像用記憶領域とは別の静止画用記憶領域に記憶保持する。表示処理部３６では、静止画用記憶領域と画像用記憶領域とから、静止画の画像と受信機から受信した画像を別々に取り込んで、たとえば表示部３７ａには静止画選択手段４２で選択された静止画の画像を表示させ、表示部３７ｂには受信した各画像をマルチ画面に順次表示させる。
【００４９】
なお、この実施の形態では、たとえばリアルタイム表示される所定の画像の中から特定の画像を静止画選択手段４２で選択して静止画の画像を表示部３７ａに表示させ、表示部３７ｂではマルチ表示を順次行わせるように設定してもよいし、またマルチ表示される画像を静止画選択手段４２で選択して表示部３７ｂにマルチ画面全体を静止画の画像として表示させ、表示部３７ａではリアルタイム表示を行わせるように設定してもよい。さらに、マルチ表示されている画像の中から特定の画像を選択してその画像のみを静止画の画像として表示部３７ａに表示させ、表示部３７ｂではマルチ表示を順次行わせように設定することも可能である。
【００５０】
このように、この実施の形態では、実施の形態３と同様の効果を奏するとともに、リアルタイム表示とマルチ表示が行われている画像の中から特定の画像を静止画選択手段４２で選択することによって、表示処理部３６による静止画の表示処理が可能となるので、さらにビュワ６の利便性を向上できる。
【００５１】
（実施の形態５）
図１１は、実施の形態５にかかるビュワ６の機能構成を示すブロック図である。図において、このビュワ６が実施の形態３と異なる点は、拡大／縮小の表示モードを指示して切り替えるための表示モード切替手段４０を設け、表示部３７ｂに指示された拡大画像または縮小画像を切り替え表示させる点である。この表示モード切替手段４０は、たとえば図示しない拡大／縮小切替用ボタンからなり、この拡大／縮小切替用ボタンの拡大の押下によって拡大指示がなされると、表示処理部３６では、表示部３７ａにリアルタイム表示された所定の画像の拡大処理を行ってその拡大画像を表示部３７ｂに表示させる。また、この拡大／縮小切替用ボタンの縮小の押下によって縮小指示がなされると、表示処理部３６では、表示部３７ａに表示された画像の縮小処理を行ってその縮小画像を表示部３７ｂに表示させる。なお、表示部３７ｂに表示される画像は、静止画の画像であってもよいし、表示部３７ａにリアルタイム表示される画像と同一の拡大／縮小処理されたリアルタイムの画像であってもよい。
【００５２】
このように、この実施の形態では、表示部３７ａにリアルタイム表示されている画像の拡大／縮小を表示モード切替手段４０で指示することによって、表示処理部３６による拡大／縮小処理された画像の表示が可能となるので、さらにビュワ６の利便性を向上できる。
【００５３】
また、この実施の形態では、たとえば図９に示した画像選択手段３９をさらに備えることも可能であり、初期状態では表示部３７ａに一画面のリアルタイム表示を行うとともに、表示部３７ｂにマルチ画面の表示を行い、画像選択手段３９で選択された画像に対して、表示モード切替手段４０で拡大／縮小の指示を行えるように設定すれば、さらにビュワ６の利便性を向上できる。
【００５４】
（実施の形態６）
図１２は、受信システムの概略構成の他例を示す概略構成図である。図において、受信システムは、たとえば９台の受信機Ａ〜Ｉと、これら受信機Ａ〜Ｉと無線によって電気的に接続され、各受信機Ａ〜Ｉから出力される無線信号を受信する受信機１１と、この受信機１１によって受信された無線信号を取り込んで所定の信号処理を行うサーバ１２と、サーバ１２で信号処理された無線信号を送信する送信機１３と、送信機１３から送信される無線信号に基づき各カプセル型内視鏡で撮像された画像の表示を行うビュワ６とを備え、受信機１１、サーバ１２および送信機１３は、病院などの院内ＬＡＮを構築している。また、受信機Ａ〜Ｉは、図２に示した受信機と同一の構成であり、受信機１１および送信機１３は、信号中継用の一般的な機器なので、ここでは説明を省略する。
【００５５】
サーバ１２では、図１３のブロック図に示すように、受信機１１で復調された無線信号に基づく映像信号を入力部５１で取り込み、画像伸長部５２で伸長処理を行い、さらに画像処理部５３で信号処理を行う。この画像処理部５３は、一般的な画像処理や、色強調処理、ホワイトバランスなどの処理を行うとともに、マルチ画像生成部５３ａによって各受信機Ａ〜Ｉから受信した個々の画像を、マルチ画面化して１つの画像データ（以下、「マルチ画像」という）として生成し、画像メモリ５４に記憶させる。この画像メモリ５４に記憶されたマルチ画像を取り込んで画像圧縮部５５で画像圧縮を行って、出力部５６から送信機１３に出力している。サーバ１２からのマルチ画像は、送信機１３で変調されてビュワ６に送信される。
【００５６】
ビュワ６は、図１４のブロック図に示すように、アンテナ３１を介して受信した無線信号を、復調部３２で復調し、画像伸長部３３で伸長処理を行った後に、伸長された映像信号を信号処理部３４で信号処理を行って一画面のマルチ画像のデータとして画像メモリ３５に記憶させる。さらに、画像メモリ３５に記憶されたマルチ画像は、表示処理部３６によって取り込まれて表示処理された後、各マルチ画像が画像表示部３７で表示される。
【００５７】
このように、この実施の形態では、たとえば集団検診などで複数の異なるカプセル型内視鏡から送信された画像データを、院内ＬＡＮを介してビュワ６に送信して、マルチ画面による画像表示を可能とするので、複数のカプセル型内視鏡から送信される複数人の生体内画像を、１台のビュワで受信して観察することができ、これにより被検体内における各カプセル型内視鏡の位置を把握することが可能となる。
【００５８】
また、この実施の形態では、異なるカプセル型内視鏡から送信された画像データを、サーバ１２で取り込んでマルチ画面化して１つの画像データに生成し、その画像データをビュワ６に送信して、マルチ画面による画像表示を可能とするので、各受信機から画像データを別々に受信してマルチ画面化の処理をビュワで行う場合に比べて、ビュワのメモリ量を大幅に削減することができ、受信システムのコスト削減が図られる。
【００５９】
なお、本発明では、上記の実施の形態の他に、たとえば検査対象の臓器内にカプセル型内視鏡が移動したことを、受信システムで確認し、ビュワから画像を選択すると、たとえば病院から外出の許可を受信機に送信して患者に認識させるように構成することも可能である。この場合には、患者は、カプセル型内視鏡が排出されるまでの観察期間であっても、不自由を被ることなくさらに自由に行動が可能になる。
【００６０】
また、本発明では、静止画、拡大、縮小、マルチ画面化の処理以外に、たとえば画像の色強調、構造強調などの処理を行い、これらの処理を行った画像をビュワの別々の画面に表示させることも可能である。この場合には、画像処理の異なる複数の画像を表示させることが可能となり、観察精度が高まりさらにビュワ６の利便性が向上できる。
【図面の簡単な説明】
【００６１】
【図１】本発明に係る生体内画像表示装置及び受信システムの好適な実施の形態である無線型被検体内情報取得システムの全体構成を示す模式図である。
【図２】受信システムの概略構成の一例を示す概略構成図である。
【図３】受信機の機能構成を示すブロック図である。
【図４】実施の形態１にかかるビュワの機能構成を示すブロック図である。
【図５】一画面表示の場合のビュワの概略構成を示す外観図である。
【図６】ビュワによる画像表示の動作を説明するためのフローチャートである。
【図７】実施の形態２にかかるビュワの機能構成を示すブロック図である。
【図８】実施の形態３にかかるビュワの概略構成を示す外観図である。
【図９】実施の形態３にかかるビュワの機能構成を示すブロック図である。
【図１０】実施の形態４にかかるビュワの機能構成を示すブロック図である。
【図１１】実施の形態５にかかるビュワの機能構成を示すブロック図である。
【図１２】受信システムの概略構成の他例を示す概略構成図である。
【図１３】実施の形態６にかかるサーバの機能構成を示すブロック図である。
【図１４】実施の形態６にかかるビュワの機能構成を示すブロック図である。
【符号の説明】
【００６２】
１  被検体
２，Ａ〜Ｉ  受信機
２ａ  アンテナユニット
２ｂ  受信本体ユニット
３  カプセル型内視鏡
４  ワークステーション
５  携帯型記録媒体
６  ビュワ
７  受信システム
１１  受信機
１２  サーバ
１３  送信機
２１，２８，３１，Ａ１〜Ａｎ  アンテナ
２２，３２  復調部
２３，３４  信号処理部
２４，５５  画像圧縮部
２５，３５，５４  画像メモリ
２６  変調部
２７  無線送信部
３３，５５  画像伸長部
３６  表示処理部
３７  画像表示部
３７ａ，３７ｂ  表示部
３８  パラメータ検知部
３９  画像選択手段
４０  表示モード切替手段
４１  受信強度検出部
４２  静止画選択手段
５１  入力部
５２  画像伸長部
５３ａ  マルチ画像生成部
５６  出力部
６１  画像表示部
６１ａ  画像表示領域
６１ｂ１  第１の表示領域
６１ｂ２，６１ｂ３  第２の表示領域
６２  切替スイッチ
６３  画像選択用ボタン